(57)【特許請求の範囲】
【請求項１】
特定領域への侵入を許可する情報を記憶した記憶媒体から情報を読取って特定領域への侵入を許可する入退室管理装置であって、
予め事前領域入口にて少なくとも上記記憶媒体に事前領域入口の通過時間情報を書込んで記憶する書込手段と、
上記記憶媒体に予め記憶されている事前領域入口の通過時間情報を特定領域入口にて検出する検出手段と、
上記検出手段により通過時間情報から起算した制限時間に基づいて、特定領域入口到達の時間が制限時間内であることを検出した時、特定領域への侵入を許可する許可手段とを備えた
入退室管理装置。
【請求項２】
特定領域への侵入を許可する情報を記憶した記憶媒体から情報を読取って特定領域への侵入を許可する入退室管理装置であって、
予め事前領域入口にて少なくとも上記入退室管理装置に事前領域入口の通過時間情報を記憶する記憶手段と、
上記入退室管理装置に予め記憶されている事前領域入口の通過時間情報を特定領域入口にて検出する検出手段と、
上記検出手段により通過時間情報から起算した制限時間に基づいて、特定領域入口到達の時間が制限時間内であることを検出した時、特定領域への侵入を許可する許可手段とを備えた
入退室管理装置。
【請求項３】
特定領域への侵入を許可する情報を記憶した記憶媒体から情報を読取って特定領域への侵入を許可する入退室管理装置であって、
予め事前領域入口にて少なくとも上記記憶媒体に事前領域入口の通過時間から起算した制限時間情報を書込んで記憶する書込手段と、
上記記憶媒体に予め記憶されている制限時間情報を特定領域入口にて検出する検出手段と、
上記検出手段により制限時間情報に基づいて、特定領域入口到達の時間が制限時間内であることを検出した時、特定領域への侵入を許可する許可手段とを備えた
入退室管理装置。
【請求項４】
特定領域への侵入を許可する情報を記憶した記憶媒体から情報を読取って特定領域への侵入を許可する入退室管理装置であって、
予め事前領域入口にて少なくとも上記入退室管理装置に事前領域入口の通過時間から起算した制限時間情報を記憶する記憶手段と、
上記入退室管理装置に予め記憶されている制限時間情報を特定領域入口にて検出する検出手段と、
上記検出手段により制限時間情報に基づいて、特定領域入口到達の時間が制限時間内であることを検出した時、特定領域への侵入を許可する許可手段とを備えた
入退室管理装置。
【請求項５】
事前領域入口に相当する媒体情報を、前記書込手段で前記記録媒体に記憶し、又は前記記憶手段で前記入退室管理装置に記憶し、
該記録媒体又は該入退室管理装置に、所定の前記事前領域入口に相当する媒体情報が記憶されていることを前記検出手段で検出したことを条件として、特定領域への侵入を許可する
請求項１から４のいずれか１に記載の入退室管理装置。
【発明の詳細な説明】
【０００１】
【発明の属する技術分野】
この発明は、例えば、原子力発電所、研究所、大学等の高い安全性を確保する必要がある領域への入退室時の不正侵入や不用意な入室を防止するような入退室管理装置に関する。
【０００２】
【従来の技術】
従来の入退室管理システムにおいては、特定領域に入室する場合、自己の所有するカード（記憶媒体）を使用することなくカード等の記憶媒体をもった他人と一緒に通過、入室することが可能であるため、複数の扉（ゲート）を通過する必要がある場合においても、そのうちの何箇所かは自己のカードを使用することなく通過、入室することができ、安全性が低下する問題点があった。
【０００３】
また入室時のチェックは入室する扉に対しての有効性のみが判定されるに過ぎないので、複数領域に順番に通過、入室する必要がある場合においても、所定順序と異なる順序の条件下にあっても不用意に入室が許容され、この結果、充分な安全性を確保することができない問題点があった。
【０００４】
【発明が解決しようとする課題】
この発明の請求項１及び２記載の発明は、予め事前領域入口において通過時間情報を記憶し、特定領域入口ではこの通過時間情報から起算した制限時間に基づいて制限時間内であることを検出判定して、特定領域への侵入を許可すべく構成することで、事前に通過、入室すべき箇所（扉、ゲート等）を通過した時間から制限時間内でない限り、特定領域への侵入を禁止して、充分な安全性を確保することができ、特に原子力発電所その他における不正侵入や不用意な入室を確実に防止することができる入退室管理装置の提供を目的とする。
【０００５】
この発明の請求項３及び４記載の発明は、予め事前領域入口において通過時間から起算した制限時間情報を記憶し、特定領域入口ではこの制限時間情報に基づいて制限時間内であることを検出判定して、特定領域への侵入を許可すべく構成することで、事前に通過、入室すべき箇所（扉、ゲート等）を通過した時間から制限時間内でない限り、特定領域への侵入を禁止して、充分な安全性を確保することができ、特に原子力発電所その他における不正侵入や不用意な入室を確実に防止することができる入退室管理装置の提供を目的とする。
【０００６】
この発明の請求項５記載の発明は、上記請求項１から４のいずれか１に記載の発明の目的と併せて、事前領域入口に相当する媒体情報を記憶し、前記所定の事前領域入口に相当する媒体情報が記憶されていることを前記検出手段で検出したことを条件として、特定領域への侵入を許可することで、安全性をより一層向上させることができる入退室管理システムの提供を目的とする。
【０００７】
【課題を解決するための手段】
この発明の請求項１記載の発明は、特定領域への侵入を許可する情報を記憶した記憶媒体から情報を読取って特定領域への侵入を許可する入退室管理装置であって、予め事前領域入口にて少なくとも上記記憶媒体に事前領域入口の通過時間情報を書込んで記憶する書込手段と、上記記憶媒体に予め記憶されている事前領域入口の通過時間情報を特定領域入口にて検出する検出手段と、上記検出手段により通過時間情報から起算した制限時間に基づいて、特定領域入口到達の時間が制限時間内であることを検出した時、特定領域への侵入を許可する許可手段とを備えた入退室管理装置であることを特徴とする。
【０００８】
この発明の請求項２記載の発明は、特定領域への侵入を許可する情報を記憶した記憶媒体から情報を読取って特定領域への侵入を許可する入退室管理装置であって、予め事前領域入口にて少なくとも上記入退室管理装置に事前領域入口の通過時間情報を記憶する記憶手段と、上記入退室管理装置に予め記憶されている事前領域入口の通過時間情報を特定領域入口にて検出する検出手段と、上記検出手段により通過時間情報から起算した制限時間に基づいて、特定領域入口到達の時間が制限時間内であることを検出した時、特定領域への侵入を許可する許可手段とを備えた入退室管理装置であることを特徴とする。
【０００９】
この発明の請求項３記載の発明は、特定領域への侵入を許可する情報を記憶した記憶媒体から情報を読取って特定領域への侵入を許可する入退室管理装置であって、予め事前領域入口にて少なくとも上記記憶媒体に事前領域入口の通過時間から起算した制限時間情報を書込んで記憶する書込手段と、上記記憶媒体に予め記憶されている制限時間情報を特定領域入口にて検出する検出手段と、上記検出手段により制限時間情報に基づいて、特定領域入口到達の時間が制限時間内であることを検出した時、特定領域への侵入を許可する許可手段とを備えた入退室管理装置であることを特徴とする。
【００１０】
この発明の請求項４記載の発明は、特定領域への侵入を許可する情報を記憶した記憶媒体から情報を読取って特定領域への侵入を許可する入退室管理装置であって、予め事前領域入口にて少なくとも上記入退室管理装置に事前領域入口の通過時間から起算した制限時間情報を記憶する記憶手段と、上記入退室管理装置に予め記憶されている制限時間情報を特定領域入口にて検出する検出手段と、上記検出手段により制限時間情報に基づいて、特定領域入口到達の時間が制限時間内であることを検出した時、特定領域への侵入を許可する許可手段とを備えた入退室管理装置であることを特徴とする。
【００１１】
この発明の請求項５記載の発明は、上記請求項１から４のいずれか１に記載の発明の構成と併せて、事前領域入口に相当する媒体情報を、前記書込手段で前記記録媒体に記憶し、又は前記記憶手段で前記入退室管理装置に記憶し、該記録媒体又は該入退室管理装置に、所定の前記事前領域入口に相当する媒体情報が記憶されていることを前記検出手段で検出したことを条件として、特定領域への侵入を許可する入退室管理装置であることを特徴とする。
【００１２】
【発明の作用及び効果】
この発明の請求項１又は２記載の発明によれば、上述の書込手段又は上述の記憶手段は事前領域入口において少なくとも記憶媒体もしくは少なくとも入退室管理装置に通過時間情報を予め記憶する。上述の検出手段は特定領域入口において上記通過時間情報を検出し、許可手段は検出手段により検出した通過時間情報から起算した制限時間に基づいて制限時間内であることを検出した時、媒体所有者の特定領域への侵入を許可する。
このため、事前に通過、入出すべき箇所（事前領域）を通過した時間から制限時間内でない限り、特定領域への侵入が禁止され、充分な安全性を確保することができる効果がある。したがって、特に原子力発電所、研究所、大学等の高セキュリティが要請される領域（特定領域）への不正侵入や不用意な入室を確実に防止することができる効果がある。
【００１３】
この発明の請求項３又は４記載の発明によれば、上述の書込手段又は上述の記憶手段は事前領域入口において少なくとも記憶媒体もしくは少なくとも入退室管理装置に通過時間から起算した制限時間情報を予め記憶する。上述の検出手段は特定領域入口において上記制限時間情を検出し、許可手段は検出手段により検出した制限時間情報に基づいて制限時間内であることを検出した時、媒体所有者の特定領域への侵入を許可する。
このため、事前に通過、入出すべき箇所（事前領域）を通過した時間から制限時間内でない限り、特定領域への侵入が禁止され、充分な安全性を確保することができる効果がある。したがって、特に原子力発電所、研究所、大学等の高セキュリティが要請される領域（特定領域）への不正侵入や不用意な入室を確実に防止することができる効果がある。
【００１４】
この発明の請求項５記載の発明によれば、上記請求項１から４のいずれか１に記載の発明の効果と併せて、事前領域入口に相当する媒体情報を記憶し、所定の前記事前領域入口に相当する媒体情報が記憶されていることを前記検出手段で検出したことを条件として、特定領域への侵入を許可する。
このように媒体情報と制限時間情報との両情報に基づいてセキュリティチェックが実行されるので安全性をより一層高めることができる効果がある。
【００１５】
【実施例】
この発明の一実施例を以下図面に基づいて詳述する。
図面は入退室管理システムおよび記憶媒体を示すが、まず図１、図２を参照して事前領域および特定領域の構成の一例について述べる。
【００１６】
縦壁１，２間に通路３を形成すると共に、通路３の手前側（図示左側）において縦壁１，２間に横架した仕切壁４を設け、この仕切壁４には電気錠にてロック、アンロック可能なドア５を設けている。
また上述の縦壁１の一側には特定室構成用の囲繞壁６を設けて、特定室７を形成すると共に、この特定室７と対応する仕切壁８には電気錠９（図２参照）にてロック、アンロック可能なドア１０を設けている。
【００１７】
而してドア５，１０間を事前領域Ａに設定し、特定室７内部を特定領域Ｂに設定している。なお、図１において１１，１２は各ドア５，１０に設けられたドアノブ、１３はドアヒンジである。
【００１８】
上述の事前領域Ａへの入口に相当するドア５の手前側の仕切壁４には記憶媒体としてのカード１４（図３参照）に対して読取り、書込みを実行するカードリーダ１５を設けられる一方、事前領域Ａ側の仕切壁４にはカードリーダ制御部１６が設けられている。
【００１９】
同様に、上述の特定領域Ｂへの入口に相当するドア１０の手前側の仕切壁８にはカード１４（図３参照）に対して読取り、書込みを実行するカードリーダ１７が設けられる一方、特定領域Ｂ側の仕切壁８にはカードリーダ制御部１８が設けられている。
【００２０】
ここで、事前領域Ａ側のカードリーダ１５は、図１に仮想線矢印ａで示すように各領域Ａ，Ｂの順に侵入する場合、予め事前領域Ａ手前にて上述のカード１４もしくはカードリーダ制御部１６内のＲＡＭまたは双方に媒体情報（たとえばドア５に相当するゲートNo. ）と、制限時間情報（または通過時間情報）とを書込んで記憶するための記憶手段である。
【００２１】
この実施例ではＲＡＭ２５（図３参照）のエリアｅ１（図４参照）と、カード１４のエリアｅ１３（図５参照）との双方にドア５に相当するゲートNo. を記憶する一方、カード１４のエリアｅ１４（図５参照）にはドア５を通過した通過時間を記憶し、ＲＡＭ２５のエリアｅ２には通過時間から起算した制限時間を何時何分迄と記憶し、ＣＰＵ２０（図３参照）の内蔵タイマの時間データと比較して制限時間以内か否かを判定すべく構成している。
【００２２】
図３は入退室管理システムの制御回路ブロック図を示し、カードリーダ１７はインタフェース１９を介してＣＰＵ２０に接続され、ＣＰＵ２０には別のインタフェース２１を介して電気錠９、ＯＫランプ２２、ＮＧランプ２３が接続され、上述のインタフェース２１は上位インタフェースに接続されている。
【００２３】
而して、ＣＰＵ２０はカードリーダ１７に挿入されたカード１４からの読出し信号入力に基づいて、ＲＯＭ２４に格納されたプログラムに従って、カードリーダ１７、電気錠９、ＯＫランプ２２、ＮＧランプ２３を駆動制御し、またＲＡＭ２５はその所定エリアに図４に示す如きデータを記憶している。
【００２４】
つまり、図４に示す如くＲＡＭ２５の１つのエリアｅ１には先に通過すべきドア５に相当するゲートNo. を記憶し、別の１つのエリアｅ２には先に通過したドア５から今通過しようとしているドア１０までの制限時間を、それぞれチェックデータとして記憶している。
【００２５】
図５はカード１４の磁気記録部に記録されるカードデータ記録フォーマットを示し、この実施例ではエリアｅ１１にユーザ固有データを、エリアｅ１２にＩＤ番号（特定領域への侵入を許可する既登録情報）を、エリアｅ１３にゲートNo. を、エリアｅ１４に通過時間を、エリアｅ１５に過去に侵入してきた領域（図１の各領域Ａ，Ｂを含む多数の領域）の履歴データを、それぞれ記録すべく構成している。
上述の各エリアｅ１３，ｅ１４のデータ内容はホストコンピュータ（上位コンピュータ）で管理するように構成してもよい。
【００２６】
ここで、図３においては特定領域Ｂの入口に設けられたドア１０側の制御回路ブロック図を示したが、事前領域Ａの入口に設けられたドア５側の制御回路についても、図３と同様に構成されている。また必要に応じて各領域Ａ，Ｂ内のＣＰＵ２０はデータバスを介してホストコンピュータに接続される。
【００２７】
しかも、ドア５側の制御回路中のＣＰＵおよび図３に示すＣＰＵ２０は、予め事前領域Ａにてカード１４もしくはＲＡＭ２５または双方１４，２５に媒体情報（ゲートNo. 、制限時間参照）を記憶する記憶手段（図６に示すフローチャートの第７ステップＳ７参照）と、
この記憶手段による媒体情報が予め記憶されているか否かを特定領域Ｂにて検出する検出手段（図７に示すフローチャートの各ステップＳ２４，Ｓ２５参照）と、
この検出手段により媒体情報が記憶されていることを検出した時、特定領域Ｂへの侵入を許可する許可手段（図７に示すフローチャートの第８ステップＳ２８参照）と、
を兼ねる。
【００２８】
このように構成した入退室管理システムの作用を、図６および図７に示すフローチャートを参照して、以下に詳述する。
まず、図６のフローチャートを参照してドア５側における処理について説明する。
【００２９】
第１ステップＳ１で、カード１４をカードリーダ１５に挿入すると、次の第２ステップＳ２で、ＣＰＵ（図示せず）はカードリーダ１５を読取り制御して、カード１４のデータを読取る。
次に第３ステップＳ３で、ＣＰＵは読取ったカードデータのうちエリアｅ１２に相当するＩＤ番号が予め登録されているものであるか否かを照合し、ＯＫ時（登録一致時）には次の第４ステップＳ４に移行する一方、ＮＧ時には（未登録時および不一致時）には別の第９ステップＳ９に移行する。
【００３０】
上述の第４ステップＳ４で、ＣＰＵはエリアｅ１３に相当するゲートNo. データがＯＫが否かを判定する。この場合は事前領域Ａのもう一つ手前側のゲートNo. データがＯＫか否かを判定することになり、ＯＫ時には次の第５ステップＳ５に移行する一方、ＮＧには別の第９ステップＳ９に移行する。
【００３１】
上述の第５ステップＳ５で、ＣＰＵは制限時間内か否かを判定する。この場合は図１に示すドア５に対してもう一つ手前側のドア（図示せず）から該ドア５を介して事前領域Ａへ侵入するまでの制限時間以内か否かが判定され、ＯＫ時には次の第６ステップＳ６に移行する一方、ＮＧ時には別の第９ステップＳ９に移行する。
【００３２】
上述の第６ステップＳ６で、ＣＰＵはカード判定ＯＫと成して、次の第７ステップＳ７に移行し、この第７ステップＳ７で、ＣＰＵはカードリーダ１５を書込み制御し、カード１４のエリアｅ１３にドア５のゲートNo. を、エリアｅ１４にドア５通過時間をそれぞれ書込むと共に、データバスを介して次領域（つまり特定領域Ｂ）のＲＡＭ２５のエリアｅ１にドア５に相当するゲートNo. を、エリアｅ２に制限時間をそれぞれ書込む。
【００３３】
次に第８ステップＳ８で、ＣＰＵはＯＫランプを点灯すると共に、電気錠を解錠（アンロック）制御する。一方、前述の第９ステップＳ９ではカード判定ＮＧと成して、次の第１０ステップＳ１０に移行し、この第１０ステップＳ１０で、ＣＰＵはＮＧランプを点灯する。なお、この第１０ステップＳ１０で必要に応じてブザー等の警報を発するように構成してもよい。
【００３４】
次に第１１ステップＳ１１で、ＣＰＵはカード１４を返却する。したがってカード判定ＯＫ時には電気錠が解錠されることにより、ドア５を開成して事前領域Ａに入ることができ、カード判定ＮＧ時には電気錠が施錠状態を維持しているので、事前領域Ａへの侵入が禁止される。以上がドア５側における処理であるが、次に図７に示すフローチャートを参照してドア１０側における処理について説明する。
【００３５】
第１ステップＳ２１で、カード１４をカードリーダ１７に挿入すると、次の第２ステップＳ２２で、ＣＰＵ２０（図３参照）はカードリーダ１７を読取り制御して、カード１４のデータを読取る。
次に第３ステップＳ２３で、ＣＰＵ２０は読取ったカードデータのうちエリアｅ１２に相当するＩＤ番号が予め登録されているものであるか否かを照合し、ＯＫ時（登録しているＩＤ番号と一致した時）には次の第４ステップＳ２４に移行する一方、ＮＧ時には（未登録時およびＩＤ番号の不一致時）には別の第９ステップＳ２９に移行する。
【００３６】
上述の第４ステップＳ２４で、ＣＰＵ２０はエリアｅ１３に相当するゲートNo. データがＯＫが否かを判定する。この場合は事前領域Ａ（ドア５に相当）のゲートNo. データがＯＫか否かを判定することになり、ＯＫ時には次の第５ステップＳ２５に移行する一方、ＮＧには別の第９ステップＳ２９に移行する。
【００３７】
上述の第５ステップＳ２５で、ＣＰＵ２０は制限時間内か否かを判定する。この場合は図１に示すドア５から該ドア１０を介して特定領域Ｂへ侵入するまでの制限時間以内か否かが判定され、ＯＫ時には次の第６ステップＳ２６に移行する一方、ＮＧ時には別の第９ステップＳ２９に移行する。
【００３８】
上述の第６ステップＳ２６で、ＣＰＵ２０はカード判定ＯＫと成して、次の第７ステップＳ２７に移行し、この第７ステップＳ２７で、ＣＰＵ２０はカードリーダ１７を書込み制御し、カード１４のエリアｅ１３にドア１０のゲートNo. を、エリアｅ１４にドア１０通過時間をそれぞれ書込むと共に、データバスを介して次領域（図示せず）のＲＡＭのエリアｅ１にドア１０に相当するゲートNo. を、エリアｅ２に制限時間をそれぞれ書込む。
【００３９】
次に第８ステップＳ２８で、ＣＰＵ２０はＯＫランプ２２を点灯すると共に、電気錠９を解錠（アンロック）制御する。一方、前述の第９ステップＳ２９ではカード判定ＮＧと成して、次の第１０ステップＳ３０に移行し、この第１０ステップＳ３０で、ＣＰＵ２０はＮＧランプ２３を点灯する。なお、この第１０ステップＳ３０で必要に応じてブザー等の警報を発するように構成してもよい。
【００４０】
次に第１１ステップＳ３１で、ＣＰＵ２０はカード１４を返却する。したがってカード判定ＯＫ時には電気錠９が解錠されることにより、ドア１０を開成して特定領域Ｂに入ることができ、カード判定ＮＧ時には電気錠９が施錠状態を維持しているので、特定領域Ｂへの侵入が禁止される。
【００４１】
以上要するに上記実施例の入退室管理システムによれば、上述の記憶手段（図６の第７ステップＳ７参照）は事前領域Ａにおいて媒体（カード１４参照）もしくは媒体処理装置（ＲＡＭ２５参照）または双方に媒体情報（ゲートNo. 参照）を予め記憶する。上述の検出手段（図７の各ステップＳ２４，Ｓ２５参照）は特定領域Ｂにおいて上記媒体情報（ゲートNo. 参照）が記憶されているか否かを検出し、許可手段（図７の第８ステップＳ２８参照）は検出手段（ステップＳ２４，Ｓ２５参照）により媒体情報（ゲートNo. 参照）が記憶されていることを検出した時、媒体所有者の特定領域Ｂへの侵入を許可する。
【００４２】
このため、事前に通過、入出すべき箇所（事前領域Ａ）を通過しない限り、特定領域Ｂへの侵入が禁止され、充分な安全性を確保することができる効果がある。したがって、特に原子力発電所、研究所、大学等の高セキュリティが要請される領域（特定領域Ｂ）への不正侵入や不用意な入室を確実に防止することができる効果がある。
【００４３】
また、上記記憶手段（図６の第７ステップＳ７参照）は事前領域Ａにて媒体（カード１４参照）もしくは媒体処理装置（ＲＡＭ２５参照）または双方に事前領域Ａから特定領域Ｂに移行して侵入を許可するまでの制限時間情報を記憶し、上述の検出手段（図７の各ステップＳ２４，Ｓ２５参照）は特定領域Ｂで検出した制限時間情報が予め設定された制限時間内である時に特定領域Ｂへの侵入を許可する。
このように媒体情報（ゲートNo. 参照）と制限時間情報との両情報に基づいてセキュリティチェックが実行されるので安全性をより一層高めることができる効果がある。
【００４４】
さらに上述例の記憶媒体によれば、上述の入退室管理システムに用いられるカード１４には過去に侵入してきた領域の履歴（図５のエリアｅ１５参照）が記憶されているので、不正時（但し、不正と見なした場合を含む）においては記憶媒体（カード１４参照）の履歴から不正者の行動パターンを認識検知することができ、またシステム側の故障、たとえばカードリーダ側の故障発見も可能となる効果がある。
【００４５】
この発明の構成と、上述の実施例との対応において、
この発明の記憶媒体は、カード１４に対応し、
以下同様に、
記憶手段及び書込手段は、ＣＰＵ制御される第７ステップＳ７（図６参照）に対応し、
媒体情報は、ゲートNo. に対応し、
検出手段は、ＣＰＵ制御される各ステップＳ２４，Ｓ２５（図７参照）に対応し、
許可手段は、ＣＰＵ制御される第８ステップＳ２８（図７参照）に対応するも、
この発明は、上述の実施例の構成のみに限定されるものではない。
【００４６】
例えば、上述の記憶媒体としては磁気カードを例示したが、これは非接触式のＩＤカードであってもよく、カード以外の記憶媒体（フロッピーディスクやコンパクト磁気ディスクＭＤその他）であってもよい。
また上記実施例においてはスタンドアロンの端末にて対応すべく構成したが、これはホストコンピュータとネットワークにて接続された端末での実施も可能であり、この場合は、ホストコンピュータが通過ゲート番号（ゲートNo. ）、通過時間を管理するので、カード１４への媒体情報の記録は省略でき、カード１４からはＩＤ番号（図５のエリアｅ１２参照）のみのチェックを実行すればよくなる。
【図面の簡単な説明】
【図１】本発明の入退室管理システムの一例を示す平面図。
【図２】図１のＣ−Ｃ線矢視図。
【図３】制御回路ブロック図。
【図４】ＲＡＭに記憶される情報の説明図。
【図５】記憶媒体に記憶される情報の説明図。
【図６】事前領域側での処理を示すフローチャート。
【図７】特定領域側での処理を示すフローチャート。
【符号の説明】
Ａ…事前領域
Ｂ…特定領域
１４…カード（記憶媒体）
Ｓ７…記憶手段
Ｓ２４，Ｓ２５…検出手段
Ｓ２８…許可手段
【図１】
0003550982.tif 000002
【図２】
0003550982.tif 000003
【図３】
0003550982.tif 000004
【図４】
0003550982.tif 000005
【図５】
0003550982.tif 000006
【図６】
0003550982.tif 000007
【図７】
0003550982.tif 000008